(57)【要約】【課題】筒形状の編組線に電線を通す作業が不要になり、複数の電線の配列状態を保持できるとともに、接地を容易に行うことができるワイヤハーネスを提供する。【解決手段】複数のフラットケーブル２１の外周を編組線２４が覆っており、さらに編組線２４の外周を第２絶縁被覆２５が覆う電線束２にカバー部材５０が取り付けられる。カバー部材５０に各フラットケーブル２１の端末が覆われることによって、各フラットケーブル２１の配列状態は一定に保持される。また、カバー部材５０には、窓５８が設けられており、第２絶縁被覆２５から伸び出た編組線２４が窓５８を介して外部に露出されている。したがって、この窓５８を介して編組線２４に対して接地のための構造を設けることによって、ワイヤハーネス１は容易に接地させることができる。【選択図】図２
2012038673.tif 000002
【特許請求の範囲】
【請求項１】
末端に端子が設けられ、第１の絶縁被覆が施された複数の絶縁電線と、
複数の前記絶縁電線の周囲を一括して覆う編組線と、
複数の前記絶縁電線を覆う前記編組線の周囲を覆う第２の絶縁被覆と、
複数の前記絶縁電線における前記端子の根元側の位置で複数の前記絶縁電線を並列状態で保持しつつ複数の前記絶縁電線、前記編組線および前記第２の絶縁被覆を覆うとともに、前記編組線の一部を外部に露出させる窓が形成された電線保持部と、
を備えることを特徴とするワイヤハーネス。
【請求項２】
請求項１に記載のワイヤハーネスであって、
前記絶縁電線はフラットケーブルであり、複数の前記フラットケーブルは、それらの各々の横断面の長手方向に並んで配列されていることを特徴とするワイヤハーネス。
【発明の詳細な説明】
【技術分野】
【０００１】
本発明は、ワイヤハーネスに関するものである。
【背景技術】
【０００２】
従来、自動車に搭載された電装品に接続されるワイヤハーネスに、ノイズが伝わることを防止するため、編み構造を有する編組線が、ワイヤハーネスを構成する電線の周囲を覆う技術が知られている。
【０００３】
たとえば、特許文献１には、複数本の電線の周囲を編組線が覆っており、編組線の端末にカシメ金具が圧着されることによって、編組線が電線に固定される技術が開示されている。
【先行技術文献】
【特許文献】
【０００４】
【特許文献１】特開２００２−１３４９５３号公報
【発明の概要】
【発明が解決しようとする課題】
【０００５】
特許文献１に開示されているように、複数本の電線の周囲に編組線を覆い被せるためには、一般的に、筒形状に成形された編組線の内側に、電線を通す作業が必要である。しかしながら、編組線は編み構造を有しており、電線が、編組線の編み目に引っかかるなどするため、筒形状の編組線の内側に電線を通す作業は円滑に進めることが難しい。また、電線が編組線の編み目に引っかからないようにするために、編組線の筒形状を大きくして電線を通すこともできるが、一度編組線の筒形状を大きく広げると、編組線と電線とを密着させることが難しく、だぶつきが編組線に生じることとなる。
【０００６】
上記問題は、平面状の編組線を周囲に巻いた電線に、押し出し成形を施すことによって解決する。絶縁体の被覆部が編組線の外周を覆うため、電線に巻いた平面状の編組線は、外周の被覆部によって固定される。これによって、筒状に成形された編組線の内側に電線を通す作業は不要となるため、電線の周囲に編組線を覆い被せる作業は効率的に進めることができる。また、平面状の編組線を電線に対して押し当てるため、より電線に編組線を密着させることが可能であり、従来よりも厚みの薄い電線が得られる。
【０００７】
しかしながら、上述の電線では、被覆部によって編組線の周囲が覆われるため、従来のようにブラケットが編組線にかしめられ、かしめられたブラケットを介して編組線を接地させることは難しい。このため、上述の電線を備えるワイヤハーネスでは、接地のための特別な構造を設けなければならない。
【０００８】
また、上述の電線を複数備えるワイヤハーネスは、たとえばインバータのような装置において、装置が備える端子台とワイヤハーネス端末の端子とが接続される。このとき、ワイヤハーネスが備える各電線を、端子台が備える端子穴の間隔に合わせて配列された状態に保持できることが望ましい。しかしながら、上述のような電線を接地するための構造に加えて、各電線を所定の配列状態に保持できる構造を設けることによって、ワイヤハーネスは、より複雑な構造を有することとなる。
【０００９】
本発明は上記課題に鑑みなされたものであり、筒形状の編組線に電線を通す作業が不要になり、複数の電線の配列状態を保持できるとともに、接地を容易に行うことができるワイヤハーネスを提供することを目的とする。
【課題を解決するための手段】
【００１０】
上記課題を解決するため、第１の発明に係るワイヤハーネスは、末端に端子が設けられ、第１の絶縁被覆が施された複数の絶縁電線と、複数の前記絶縁電線の周囲を一括して覆う編組線と、複数の前記絶縁電線を覆う前記編組線の周囲を覆う第２の絶縁被覆と、複数の前記絶縁電線における前記端子の根元側の位置で複数の前記絶縁電線を並列状態で保持しつつ複数の前記絶縁電線、前記編組線および前記第２の絶縁被覆を覆うとともに、前記編組線の一部を外部に露出させる窓が形成された電線保持部と、を備えることを特徴とする。
【００１１】
第２の発明に係るワイヤハーネスは、第１の発明に係るワイヤハーネスにおいて、前記絶縁電線はフラットケーブルであり、複数の前記フラットケーブルは、それらの各々の横断面の長手方向に並んで配列されていることを特徴とする。
【発明の効果】
【００１２】
第１の発明によれば、電線保持部によって絶縁電線を一定の位置関係に保持できるとともに、電線保持部には編組線の一部を外部に露出させる窓が設けられているため、窓を介して容易に編組線の接地を行うことができる。
【００１３】
第２の発明によれば、絶縁電線がフラットケーブルであり、かつ長手方向に並んで配列されている。このため、接地のために必要な部材がフラットケーブルの扁平な面において接続されるため、より接触面積が大きくなり、着実に接地を行うことができる。
【図面の簡単な説明】
【００１４】
【図１】本発明の実施形態に係るワイヤハーネス１の主要部の平面図である。
【図２】ワイヤハーネス１の主要部の断面図である。
【図３】ワイヤハーネス１の主要部の正面図である。
【図４】ワイヤハーネス１が備える電線の断面図である。
【発明を実施するための形態】
【００１５】
以下、添付の図面を参照しながら、本発明の実施形態について説明する。以下の実施形態は、本発明を具体化した一例であって、本発明の技術的範囲を限定するものではない。
【００１６】
本発明の実施形態に係るワイヤハーネス１は、その両端がたとえばインバータ及びモータなどの電装機器間に接続されることにより、当該電装機器相互間を電気的に接続する役割を有する。最初に、図４を参照しつつ、ワイヤハーネス１が備える電線束２について説明する。
【００１７】
図４に示されるように、電線束２は複数の電線を備えており、本実施の形態において電線はフラットケーブル２１が用いられる。フラットケーブル２１は、一般的な電線と比較して放熱性が高く、フラットケーブル２１における温度上昇を抑えることができる。このため、温度上昇に伴うフラットケーブル２１の抵抗値の上昇は抑えられるため、より高電流を流すことができる。フラットケーブル２１は、平行に並べられた複数の線状の導体２２に、樹脂などの絶縁体で構成された第１絶縁被覆２３による被覆が施された構造を有している。なお、図４においては、５本の導体２２が第１絶縁被覆２３で覆われた構造のフラットケーブル２１が示されているが、フラットケーブル２１が有する導体２２の数は何本であっても構わない。また、図４に示される電線束２は、三相交流の電力を伝送するために、並列配置された３本のフラットケーブル２１を備えているが、電線束２におけるフラットケーブル２１の数は、２本又は４本以上であることも考えられる。また、本実施の形態においては、フラットケーブル２１が用いられているが、電線の形態は、断面が円形状又は矩形状である等の他の形態も考えられる。
【００１８】
さらに、ワイヤハーネス１は、上記のような複数のフラットケーブル２１の外周を一括して覆う編組線２４を備えている。編組線２４は、スズメッキされた銅線などの金属細線を撚り合わせた線状の金属束が編まれた構造を有する導体である。編組線２４は、上記のような編み構造を有するため、伸縮性を有する。
【００１９】
フラットケーブル２１の外周に覆われた編組線２４の外周は、第２絶縁被覆２５で覆われている。このような編組線２４の外周が絶縁体で覆われる構造は、編組線２４が巻かれたフラットケーブル２１の束の周囲に、樹脂の押し出し成形が施されることによって得られる。編組線２４の外周が第２絶縁被覆２５で覆われることによって、編組線２４が複数のフラットケーブル２１の周囲を覆っている状態は保持される。このような工程によって、筒形状の編組線２４に電線を通す作業は不要にすることができる。したがって、編組線２４をフラットケーブル２１の周囲に覆い被せる作業は手間をかけずに行うことができる。また、編組線２４をだぶつかせることなく、フラットケーブル２１の周囲に編組線２４を覆い被せることができるため、編組線２４で覆われたフラットケーブル２１の厚みを薄くすることができる。このように電線束２は、フラットケーブル２１、編組線２４、そして第２絶縁被覆２５によって構成される。
【００２０】
続いて、図１〜３に示されるワイヤハーネス１について説明する。ワイヤハーネス１は、複数の外装部材が上述した電線束２の周囲に取り付けられた構造を有している。本実施の形態において、電線束２に取り付けられる外装部材は、コルゲートチューブ３０および電線保持部６０であって、電線束２の周囲は、それら外装部材によって覆われる。なお、図２においては、配置関係の理解を容易にするため、断面図ではあるが編組線２４を除く電線束２には斜線を付していない。
【００２１】
電線保持部６０が取り付けられる対象となる電線束２の端部は、予め一定の長さの分の導体２２の周囲から第１絶縁被覆２３、編組線２４、および第２絶縁被覆２５が剥がされた状態にされる。続いて、電線束２における、この剥き出しの導体２２の根元側の部分、つまり第１絶縁被覆２３が残されている部分において、一定の長さ分の編組線２４及び第２絶縁被覆２５が剥がされた状態にされる。さらに、剥き出しの第１絶縁被覆２３の根元側の部分、つまり、編組線２４が残されている部分において、一定の長さ分の第２絶縁被覆２５が剥がされた状態にされる。このように、電線束２は、電線束２の端部から一定の長さ分ずつ、導体２２、第１絶縁被覆２３、そして編組線２４が剥き出しにされた状態に加工されている。
【００２２】
本実施の形態において、上述の加工が施された電線束２における、外周が第２絶縁被覆２５で覆われている部分が、コルゲートチューブ３０で覆われる。コルゲートチューブ３０は、コルゲートチューブ３０に覆われる電線束２の軸心方向に沿って、山部３０１と谷部３０２とが交互に連続した蛇腹形状の電線保護具である。コルゲートチューブ３０の内側に電線束２が通されることによって、電線束２は周囲からの直接の干渉を受けずに保護される。
【００２３】
コルゲートチューブ３０の端部には、電線保持部６０が設けられている。電線保持部６０は、本体部材４０と、その本体部材４０に取り付けられるカバー部材５０とより構成されている。なお、本実施の形態においては、本体部材４０とカバー部材５０とは別個の部材であるが、本体部材４０とカバー部材５０とは一体に形成されていても構わない。つまり、電線保持部６０は一体に形成されていても、複数の部材から構成されていても構わない。
【００２４】
本体部材４０は、第２絶縁被覆２５の端部を覆う。本体部材４０は、例えば、電線束２の端部を埋め込み対象とする樹脂のインサート成型により作製される。本体部材４０が第２絶縁被覆２５に取り付けられた状態において、編組線２４の根元側から端末の導体２２に渡る部分は露出している。そして、フラットケーブル２１各々の導体２２に対して１つの端子７０が圧着されて、フラットケーブル２１と端子７０とが接続される。したがって、本実施の形態においては、３つの端子７０がワイヤハーネス１の端末において接続されている。
【００２５】
本体部材４０において、電線束２の端末側から順に第１小径部４４、第２小径部４２、そして大径部４１が設けられている。第１小径部４４は、外径が周囲の径よりも小さくなっており、第１小径部４４の外周面と、カバー部材５０の内周面とが嵌め合わされることによって、カバー部材５０と本体部材４０とは接続される。第２小径部４２は、本体部材４０の外周に凹設されており、第１小径部４４と同様に外径が周囲の径よりも小さくなっている。この第２小径部４２には、たとえばゴムなどよりなる防水部材４３が嵌め込まれており、本体部材４０の外周を覆っている。大径部４１は、本体部材４０の端部において、周囲に突出するようにフランジ状に設けられている。
【００２６】
カバー部材５０は樹脂の成型部材であり、導体２２に取り付けられた端子７０と第２絶縁被覆２５に取り付けられた本体部材４０との間の部分、つまり第２絶縁被覆２５の端部、編組線２４、第１絶縁被覆２３の外周を覆う。カバー部材５０は、ワイヤハーネス１の端末側から、順に第１部材５０１と第２部材５０２とが連結された構造を有する。第１部材５０１は、主に第１絶縁被覆２３の外周を覆い、第２部材５０２は、主に第２絶縁被覆２５の端部から編組線２４に渡る範囲を覆う。
【００２７】
カバー部材５０は、電線束２における複数のフラットケーブル２１の配列方向（以下、単に「配列方向」と称する場合がある。）と、編組線２４および第１絶縁被覆２３の延在方向（以下、単に「延在方向」と称する場合がある。）と、によって規定される面に直交する方向（以下、「高さ方向」と称する場合がある。）に沿って一方側に設けられた上側部材５０aと他方側に設けられた下側部材５０ｂとが組み合わされることによって、電線束２の端部に取り付けられる。具体的には、上側部材５０aを構成する第１部材５０１aの配列方向における外側の両端に設けられた図示しない接合溝に、下側部材５０ｂを構成する第１部材５０１ｂの幅方向における外側の両端に設けられた図示しない接合爪がはめ込まれることで、カバー部材５０は組み合わされた状態で保持される。
【００２８】
第２部材５０２を構成する配列方向に沿って設けられた側壁５５には、フラットケーブル２１の第１絶縁被覆２３の外周と側壁５５との間に隙間が形成されている。編組線２４の先端部はこの隙間に収まるため、フラットケーブル２１に編組線２４が密着した状態は保持される。
【００２９】
上側部材５０aにおける第２部材５０２aの上面には、所定の範囲にわたって窓５８が設けられている。したがって、第２部材５０２に覆われた剥き出しの編組線２４は、窓５８を介して外部に露出された状態である。
【００３０】
下側部材５０ｂを構成する第１部材５０１aの内側における底面上に、複数のフラットケーブル２１は載置されている。高さ方向に沿って上側の第１部材５０１a内側の面と第１絶縁被覆２３の上面との間には空間が形成されている。この空間を埋めるように、上側部材５０aを構成する第１部材５０１aの内側で、上側部材５０aを構成する第２部材５０２aとの連結部分側における端部には、配列方向に沿って壁部５７が設けられている。カバー部材５０を構成する、上側部材５０aと下側部材５０ｂとが組み合わされることによって、壁部５７は、第１絶縁被覆２３を下側部材５０ｂに向けて押し付ける。これによって、電線束２より伸び出た各フラットケーブル２１の高さ方向および配列方向における位置ずれは抑えられる。
【００３１】
下側部材５０ｂにおける第１部材５０１ｂには、延在方向に沿って隔壁部５４が設けられており、隔壁部５４と隔壁部５４との間に各フラットケーブル２１は配置される。したがって、第１部材５０１に配置されたフラットケーブル２１の配列状態は、隔壁部５４によって保持される。
【００３２】
このようなワイヤハーネス１は、たとえばインバータなどの電装機器が有する図示しない端子台に接続されるため、ワイヤハーネス１の端部、即ち、端子７０が設けられた電線束２の端部が、端子台を内部に備える電気ボックスに設けられた嵌め込み口から内部へ挿入される。さらに、本体部材４０は、大径部４１の側面が嵌め込み口の側壁に接触する状態で嵌め込み口の内部に押し込まれる。上述したように、本体部材４０の外周は、ゴムなどよりなる防水部材４３で覆われている。このため、嵌め込み口の内側の面に防水部材４３が密着し、電気ボックスの内側空間は密閉される。これによって、電気ボックス内に外部から水分が浸入することを防ぐことができる。各端子７０に設けられた端子穴７１が、対応する端子台のねじ穴においてねじ止めされることによって、ワイヤハーネス１と端子台とが接続される。
【００３３】
本実施の形態においては、カバー部材５０の上面に、所定の範囲にわたって窓５８が設けられている。このため、第２部材５０２の内部に編組線２４が、窓５８を介して外部に露出されている。したがって別部材である導電体が、窓５８を介して編組線２４に押し当てられ、当該導電体を介して接地をすることが可能となる。このように、編組線２４の外周が第２絶縁被覆２５で覆われていたとしても、カバー部材５０に設けられた窓５８によって、ワイヤハーネス１は接地のために複雑な構造を設ける必要がなく、容易に接地を行うことができる。
【００３４】
特に、本実施の形態においては、フラットケーブル２１が用いられているため、カバー部材５０に設けられた窓５８を介して、別部材である導電体がフラットケーブル２１の扁平な面に押し当てられる。したがって、導電体と編組線２４との接触面積は大きくなるため、より着実に接地が行われる。
【００３５】
以上のように、本実施の形態においては、編組線２４を巻いたフラットケーブル２１に、樹脂の押し出し成形が行われることによって、筒形状の編組線２４にフラットケーブル２１を通す作業は不要にすることができる。また、カバー部材５０が、第１絶縁被覆２３および編組線２４が剥き出しに加工された電線束２の端部を覆っている。カバー部材５０に設けられた隔壁部５４によって、各フラットケーブル２１は所定の位置関係に保持された状態で、端子台に接続される。また、カバー部材５０には、窓５８が設けられており、窓５８を介して編組線２４は外部に露出されている。このため、窓５８を介して別部材である導電体を編組線２４に押し当てて、当該導電体を介してワイヤハーネス１の接地をすることができる。このように、カバー部材５０に窓５８を設け、窓５８を介して編組線２４を外部に露出させることによって、接地のための複雑な構造を設けることなく、ワイヤハーネス１を接地させることが可能となる。
【００３６】
なお、本願発明は上記実施の形態に限られるものではなく、その他の形態であっても構わない。上記実施の形態においては、コルゲートチューブ３０が、電線束２の第２絶縁被覆２５を覆っていたが、このような形態には限られない。コルゲートチューブ３０は必ずしも設けられていなくても構わない。
【００３７】
また、窓５８を介してワイヤハーネス１の接地を行う方法は、上述のように、別部材である導電体が、外部に露出された編組線２４に押し当てられる構造であってもよいし、その他の形態であって構わない。つまり、窓５８によって外部に露出されることとなった編組線２４が接地されるのであればどのような形態であっても構わない。
【符号の説明】
【００３８】
１  ワイヤハーネス
２  電線束
２１  フラットケーブル
２２  導体
２３  第１絶縁被覆
２４  編組線
２５  第２絶縁被覆
３０  コルゲートチューブ
４０  本体部材
４３  防水部材
５０  カバー部材
６０  電線保持部
５８  窓
７０  端子
【図１】
2012038673.tif 000003
【図２】
2012038673.tif 000004
【図３】
2012038673.tif 000005
【図４】
2012038673.tif 000006